(57)【特許請求の範囲】
【請求項１】
先端部から取り出し可能にリード線を収納するリード線収納機構と、
把持部を有し、該把持部によって前記リード線の先端部を把持する把持動作と、リード線移動空間を通って、前記把持部を初期位置から目標位置に移動させる把持部移動動作とが実行可能なリード線把持移動機構と、
少なくとも一つのローラを有し、前記少なくとも一つのローラと前記リード線とが接触関係を保つことにより、前記リード線にかかる張力を調整する張力調整処理を実行する張力調整機構と、
前記リード線を挟み込むことにより、前記リード線の進行方向をガイドするガイド処理を実行するリード線ガイド機構と、
前記リード線収納機構、前記リード線把持移動機構、前記張力調整機構及び前記リード線ガイド機構を制御してリード線引出用初期設定処理の実行を制御する制御部とを備え、
前記張力調整機構は、前記リード線移動空間の一部となる第１の部分空間を形成する第１の準備状態と、前記張力調整処理が実行可能な第１の実動作状態との間で状態が変化し、
前記リード線ガイド機構は、前記リード線移動空間の一部となる第２の部分空間を形成する第２の準備状態と、前記ガイド処理が実行可能な第２の実動作状態との間で状態が変化し、
前記制御部の制御下で実行される前記リード線引出用初期設定処理は、
(a) 前記初期位置において、前記リード線把持移動機構に前記把持動作を実行させることにより、前記リード線収納機構に収納された前記リード線の先端部を把持させるステップと、
(b) 前記張力調整機構を前記第１の準備状態に設定し、前記リード線ガイド機構を前記第２の準備状態に設定するステップと、
(c) 前記把持動作を実行している前記リード線把持移動機構に前記把持部移動動作をさらに実行させることにより、前記把持部を前記初期位置から前記目標位置に移動させるステップとを備え、前記ステップ(c)の実行によって、前記把持部に把持された前記リード線の先端部は、前記第１及び第２の部分空間を含む前記リード線移動空間を通過した後、前記把持部と共に前記目標位置に導かれ、前記ステップ(c)の実行後、前記把持部移動動作は終了され、
(d) 前記ステップ(c)後に実行され、前記張力調整機構を前記第１の実動作状態に設定し、前記リード線ガイド機構を前記第２の実動作状態に設定するステップと、
(e) 前記ステップ(c)後に実行され、前記把持部による前記把持動作を終了し、前記リード線を前記リード線把持移動機構から解放するステップとをさらに備え、
前記リード線収納機構は、
回転可能な張力可変式の支持軸を備え、前記リード線は前記支持軸を中心軸として巻回され、かつ、先端部が外部に露出する態様で収納され、
外部に露出した前記リード線の先端部の固定／解放の切替が可能なロック機構をさらに備える、
リード線引出装置。
【請求項２】
先端部から取り出し可能にリード線を収納するリード線収納機構と、
把持部を有し、該把持部によって前記リード線の先端部を把持する把持動作と、リード線移動空間を通って、前記把持部を初期位置から目標位置に移動させる把持部移動動作とが実行可能なリード線把持移動機構と、
少なくとも一つのローラを有し、前記少なくとも一つのローラと前記リード線とが接触関係を保つことにより、前記リード線にかかる張力を調整する張力調整処理を実行する張力調整機構と、
前記リード線を挟み込むことにより、前記リード線の進行方向をガイドするガイド処理を実行するリード線ガイド機構と、
前記リード線収納機構、前記リード線把持移動機構、前記張力調整機構及び前記リード線ガイド機構を制御してリード線引出用初期設定処理の実行を制御する制御部とを備え、
前記張力調整機構は、前記リード線移動空間の一部となる第１の部分空間を形成する第１の準備状態と、前記張力調整処理が実行可能な第１の実動作状態との間で状態が変化し、
前記リード線ガイド機構は、前記リード線移動空間の一部となる第２の部分空間を形成する第２の準備状態と、前記ガイド処理が実行可能な第２の実動作状態との間で状態が変化し、
前記制御部の制御下で実行される前記リード線引出用初期設定処理は、
(a) 前記初期位置において、前記リード線把持移動機構に前記把持動作を実行させることにより、前記リード線収納機構に収納された前記リード線の先端部を把持させるステップと、
(b) 前記張力調整機構を前記第１の準備状態に設定し、前記リード線ガイド機構を前記第２の準備状態に設定するステップと、
(c) 前記把持動作を実行している前記リード線把持移動機構に前記把持部移動動作をさらに実行させることにより、前記把持部を前記初期位置から前記目標位置に移動させるステップとを備え、前記ステップ(c)の実行によって、前記把持部に把持された前記リード線の先端部は、前記第１及び第２の部分空間を含む前記リード線移動空間を通過した後、前記把持部と共に前記目標位置に導かれ、前記ステップ(c)の実行後、前記把持部移動動作は終了され、
(d) 前記ステップ(c)後に実行され、前記張力調整機構を前記第１の実動作状態に設定し、前記リード線ガイド機構を前記第２の実動作状態に設定するステップと、
(e) 前記ステップ(c)後に実行され、前記把持部による前記把持動作を終了し、前記リード線を前記リード線把持移動機構から解放するステップとをさらに備え、
前記張力調整機構は、
前記第１の実動作状態の時、前記リード線の断線の有無を検出する破断検出器を含む、
リード線引出装置。
【請求項３】
請求項１または請求項２記載のリード線引出装置であって、
前記リード線収納機構は、
前記リード線の残量が基準量以下になるリード線残量不足状態の有無を検出する残量検出器を含む、
リード線引出装置。
【発明の詳細な説明】
【技術分野】
【０００１】
この発明は、リード線を引き出して目標位置に導くリード線引出装置に関する。
【背景技術】
【０００２】
太陽電池などの製造に用いられる基板の電極膜面に電極線となるリード線を接合する装置として、超音波振動を活用した超音波接合装置がある。このような超音波接合装置を用いる際、ライン状の導電材であるリード線を基板上に引き出す技術が必要となる。【０００３】
リード線引き出し技術として、例えば特許文献１で開示されたリード線引き出し構造や、特許文献２で開示されたリード線引出装置がある。【０００４】
従来のリード線引き出し技術は、リード線が何重にも巻き付けられたリードリールから、リード線を引き出し、リード線を目標位置まで継続的に導く技術である。リード線引き出し技術により基板上にリード線を引き出し、基板と接触させた状態でリード線に対し超音波接合装置による超音波振動を印加することにより、リード線を基板上に接合することができる。
【先行技術文献】
【特許文献】
【０００５】
【特許文献１】国際公開第２０１２／０７３３１８号
【特許文献２】特開２０１５−１３３８６１号公報
【発明の概要】
【発明が解決しようとする課題】
【０００６】
しかしながら、従来のリード線引き出し技術は、最初にリード線を引き出して目標位置まで導くリード線引出用初期設定処理は、オペレータによる手動操作により行っていため、手間を要するという問題点があった。【０００７】
本発明では、上記のような問題点を解決し、人手による手動操作を不要にして、リード線引き出し用初期設定処理が行えるリード線引出装置を提供することを目的とする。
【課題を解決するための手段】
【０００８】
この発明に係るリード線引出装置は、先端部から取り出し可能にリード線を収納するリード線収納機構と、把持部を有し、該把持部によって前記リード線の先端部を把持する把持動作と、リード線移動空間を通って、前記把持部を初期位置から目標位置に移動させる把持部移動動作とが実行可能なリード線把持移動機構と、少なくとも一つのローラを有し、前記少なくとも一つのローラと前記リード線とが接触関係を保つことにより、前記リード線にかかる張力を調整する張力調整処理を実行する張力調整機構と、前記リード線を挟み込むことにより、前記リード線の進行方向をガイドするガイド処理を実行するリード線ガイド機構と、前記リード線収納機構、前記リード線把持移動機構、前記張力調整機構及び前記リード線ガイド機構を制御してリード線引出用初期設定処理の実行を制御する制御部とを備え、前記張力調整機構は、前記リード線移動空間の一部となる第１の部分空間を形成する第１の準備状態と、前記張力調整処理が実行可能な第１の実動作状態との間で状態が変化し、前記リード線ガイド機構は、前記リード線移動空間の一部となる第２の部分空間を形成する第２の準備状態と、前記ガイド処理が実行可能な第２の実動作状態との間で状態が変化し、前記制御部の制御下で実行される前記リード線引出用初期設定処理は、(a) 前記初期位置において、前記リード線把持移動機構に前記把持動作を実行させることにより、前記リード線収納機構に収納された前記リード線の先端部を把持させるステップと、(b) 前記張力調整機構を前記第１の準備状態に設定し、前記リード線ガイド機構を前記第２の準備状態に設定するステップと、(c) 前記把持動作を実行している前記リード線把持移動機構に前記把持部移動動作をさらに実行させることにより、前記把持部を前記初期位置から前記目標位置に移動させるステップとを備え、前記ステップ(c)の実行によって、前記把持部に把持された前記リード線の先端部は、前記第１及び第２の部分空間を含む前記リード線移動空間を通過した後、前記把持部と共に前記目標位置に導かれ、前記ステップ(c)の実行後、前記把持部移動動作は終了され、(d) 前記ステップ(c)後に実行され、前記張力調整機構を前記第１の実動作状態に設定し、前記リード線ガイド機構を前記第２の実動作状態に設定するステップと、(e) 前記ステップ(c)後に実行され、前記把持部による前記把持動作を終了し、前記リード線を前記リード線把持移動機構から解放するステップとをさらに備え、前記リード線収納機構は、回転可能な張力可変式の支持軸を備え、前記リード線は前記支持軸を中心軸として巻回され、かつ、先端部が外部に露出する態様で収納され、外部に露出した前記リード線の先端部の固定／解放の切替が可能なロック機構をさらに備える。
【発明の効果】
【０００９】
請求項１記載の本願発明のリード線引出装置は、制御部の制御下で上述したステップ(a)〜(e)を備えるリード線引出用初期設定処理を自動的に実行することにより、オペレータによる手動操作を不要にして、リード線を初期位置から目標位置に導くことができる効果を奏する。【００１０】
この発明の目的、特徴、局面、および利点は、以下の詳細な説明と添付図面とによって、より明白となる。
【図面の簡単な説明】
【００１１】
【図１】この発明の実施の形態であるリード線引出装置の全体構成を示す説明図である。
【図２】図１で示したリード線引出装置の制御系統を模式的に示すブロック図である。
【図３】図１で示したリード線収納機構におけるリードカセットの構成を示す説明図である。
【図４】図３で示したロック機構の詳細を示す説明図である。
【図５】図３で示したリードカセットの交換状況を模式的に示す説明図である。
【図６】図１で示したリード線把持移動機構の詳細を示す説明図である。
【図７】リード線引出用初期設定処理の動作内容を示す説明図である。
【図８】リード線引出用初期設定処理の動作内容を示す説明図である。
【図９】リード線引出用初期設定処理の動作内容を示す説明図である。
【図１０】リード線引出用初期設定処理の動作内容を示す説明図である。
【図１１】リード線引出用初期設定処理の動作内容を示す説明図である。
【図１２】リード線引出用初期設定処理の動作内容を示す説明図である。
【図１３】リード線引出用初期設定処理の動作内容を示す説明図である。
【図１４】リード線引出用初期設定処理の動作内容を示す説明図である。
【図１５】リード線引出用初期設定処理の動作内容を示す説明図である。
【図１６】リード線引出用初期設定処理の動作内容を示す説明図である。
【図１７】リード線引出用初期設定処理の動作内容を示す説明図である。
【図１８】リード線引出用初期設定処理の動作内容を示す説明図である。
【図１９】リード線引出用初期設定処理の動作内容を示す説明図である。
【図２０】リード線引出用初期設定処理の動作内容を示す説明図である。
【図２１】リード線引出用初期設定処理の動作内容を示す説明図である。
【図２２】この発明の前提技術となるリード線引出装置の構成を模式的に示す説明図である。
【発明を実施するための形態】
【００１２】
＜前提技術＞
図２２はこの発明の前提技術となるリード線引出装置２００の構成を模式的に示す説明図である。同図において、ＸＹＺ直交座標系を記している。
【００１３】
図２２に示すように、リード線引出装置２００はリード線収納機構２０１、張力調整機構２０２、及びリード線ガイド機構２０３を主要構成要素として含んでいる。
【００１４】
基板固定テーブル２上に基板３が載置され、基板３上にリード線４が配置され、超音波接合装置１の超音波発振ヘッド５から超音波振動ＵＶをリード線４の接合対象領域に印加する超音波接合動作を実行することにより、基板３上にリード線４を超音波接合することができる。なお、超音波発振ヘッド５にはヘッド加圧Ｆ５が付与されている。
【００１５】
基板固定テーブル２に取り付けられた取り付け部材８０にリード線収納機構２０１及び張力調整機構２０２が固定配置される。リード線収納機構２０１は回転方向Ｒ４に沿って回転可能な支持軸２２２を有し、リード線４は支持軸２２２を中心軸として巻回され、かつ、リード線４の先端部が外部に露出しており、外部からリード線４を引き出し可能である。
【００１６】
リード線収納機構２０１から引き出されたリード線４は張力調整機構２０２の各種ローラと接触関係を保ちながら、リード線ガイド機構２０３に上下から挟まれて緩やかに把持されることにより、下方（−Ｚ方向）の基板３の表面に導かれる。図２２において、矩形の実線で示した符号「４」は基板３上に接合済みのリード線を示し、破線で示した符号「４」は基板３の表面に向けて引き出される過程のリード線４を示している。
【００１７】
このような構成の前提技術となるリード線引出装置２００によって、リード線収納機構２０１に収納されたリード線４は、張力調整機構２０２、及びリード線ガイド機構２０３を経由して、基板固定テーブル２上に載置されたガラス基板等の基板３の表面に引き出される。
【００１８】
その後、超音波接合装置１によってリード線４を基板３上に接合することができる。なお、基板３に太陽電池が製造される場合、基板３の表面には電極膜が形成されることが一般的であり、この場合、基板３の表面が電極膜の表面となる。
【００１９】
さらに、超音波接合装置１は基板３の表面形成方向（Ｘ方向）に平行な水平移動方向Ｈ１の水平移動が可能であり、リード線ガイド機構２０３は超音波接合装置１と一体的に連結され、超音波接合装置１と共に水平移動する。
【００２０】
したがって、例えば、超音波接合装置１（超音波発振ヘッド５）及びリード線ガイド機構２０３を左方向（−Ｘ方向）に沿って移動させることにより、リード線４の接合対象領域を変化さながら超音波接合装置１による超音波接合動作を繰り返し実行することができる。
【００２１】
前提技術となるリード線引出装置２００は、最初にリード線収納機構２０１からリード線を引き出して、張力調整機構２０２およびリード線ガイド機構２０３を経由させつつ、目標位置である基板３の表面まで導くリード線引出用初期設定処理は、オペレータによる手動操作により行っていた。
【００２２】
すなわち、オペレータが手動操作により、リード線収納機構２０１からリード線４の先端部を把持しながら、張力調整機構２０２の各種ローラと接触させつつ張力調整機構２０２を通過させ、さらに、リード線４がリード線ガイド機構２０３により上下から挟み込まれる態様でリード線４を通過させ、リード線４の先端部を基板３の表面に導いていた。このように、上記リード線引出用初期設定処理は、人手による手動操作で行っていた。
【００２３】
上記リード線引出用初期設定処理を自動的に行うようにしたのが以下で述べる実施の形態のリード線引出装置である。
【００２４】
＜実施の形態＞
（構成）
図１はこの発明の実施の形態であるリード線引出装置１００の全体構成を模式的に示す説明図である。図１において、ＸＹＺ直交座標系を記している。
【００２５】
同図に示すように、リード線引出装置１００は、リード線収納機構１０１、張力調整機構１０２、リード線ガイド機構１０３、リード線把持移動機構１０４及び図示しない制御部１０５を主要構成要素として含んでいる。
【００２６】
リード線収納機構１０１を基準として、張力調整機構１０２はリード線ガイド機構１０３の前段（−Ｘ側）に設けられる。
【００２７】
図２はリード線引出装置１００の制御系統を模式的に示すブロック図である。同図に示すように、制御部１０５は制御信号Ｓ１〜Ｓ４を出力している。制御信号Ｓ１はリード線収納機構１０１に出力され、制御信号Ｓ２は張力調整機構１０２に出力され、制御信号Ｓ３はリード線ガイド機構１０３に出力され、制御信号Ｓ４はリード線把持移動機構１０４に出力される。
【００２８】
一方、後述する残量検出器１６から残量検出信号Ｓ１６が出力され、後述する破断検出器１７から破断検出信号Ｓ１７が出力される。残量検出信号Ｓ１６及び破断検出信号Ｓ１７は制御部１０５に入力される。
【００２９】
さらに、制御部１０５は、リード線引出用初期設定処理の実行を指示する実行要求信号Ｓ２０を受ける。実行要求信号Ｓ２０はオペレータが所定の操作を行うことにより発生させることができる。所定の操作として、例えば、リード線引出装置１００に設けられた図示しない実行開始ボタンの押圧等が考えられる。
【００３０】
制御部１０５は、残量検出信号Ｓ１６が後述するリード線残量不足状態を指示する時、破断検出信号Ｓ１７がリード線４の破断を指示する時、あるいは、実行要求信号Ｓ２０を受けた時、後に詳述するリード線引出用初期設定処理を実行の必要性を認識することができる。
【００３１】
制御部１０５は主要構成要素１０１〜１０４に制御信号Ｓ１〜Ｓ４を出力することにより、リード線収納機構１０１、張力調整機構１０２、リード線ガイド機構１０３、及びリード線把持移動機構１０４を制御して後に詳述するリード線引出用初期設定処理の実行を制御する。
【００３２】
図１に戻って、リード線収納機構１０１は、リードカセット１０、ロック解除機構１３、及び残量検出器１６を主要構成要素として含んでいる。
【００３３】
図３は図１で示したリード線収納機構１０１におけるリードカセット１０の構成を示す説明図である。図３において、ＸＹＺ直交座標系を記している。なお、以降で示す図４〜図２１それぞれにおいてもＸＹＺ直交座標系を記している。
【００３４】
図３に示すように、リードカセット１０は先端部から取り出し可能にリード線４の大部分を巻回領域１０ｗに収納している。
【００３５】
リードカセット１０は、ブラケット２０、２つのガイド穴２１、支持軸２２、ガイドローラ２３、及びロック機構２４を主要構成要素として含んでいる。
【００３６】
ブラケット２０の上部（＋Ｚ方向側）に２つのガイド穴２１が設けられ、中央部に張力可変式の支持軸２２が取り付けられ、下部（−Ｚ方向側）にガイドローラ２３及びロック機構２４が取り付けられている。ガイドローラ２３はリード線４をロック機構２４の方向に導くために設けられている。なお、張力可変式の支持軸２２及びガイドローラ２３は回転方向Ｒ４（左回り）に沿って回転可能にブラケット２０に取り付けられている。
【００３７】
リード線４は支持軸２２を中心軸として巻回され、ガイドローラ２３の外周面の一部と接触しつつ、ロック機構２４に先端部が位置する。リード線４の大部分が巻回領域１０ｗに収納される。
【００３８】
支持軸２２は、リード線４が巻回方向（＝回転方向Ｒ４）に対し逆方向に回転して緩まないよう適切に調節された摩擦力を発生される張力可変機能を有している。
【００３９】
図４は図３で示したロック機構２４の詳細を示す説明図である。図１で示したロック解除機構１３は必要に応じてロック解除力Ｆ１３をロック機構２４に付与することができる。なお、ロック解除機構１３として例えばシリンダが考えられる。
【００４０】
図４に示すように、ロック機構２４は、上方のロック金具３０、下方のロック金具３１及びバネ３２を主要構成要素として含んでいる。ロック解除機構１３からロック解除力Ｆ１３が付与されていない状態では、下方（−Ｚ方向）に向かうバネ３２の弾性力が付与されるため、ロック金具３０は実線で示す位置に押し下げられ、ロック金具３０の下面がロック金具３１の上面と密着する密着状態となる。
【００４１】
一方、上方（＋Ｚ方向）に向かうロック解除力Ｆ１３が付与されると、ロック金具３０の下面の一部にロック解除力Ｆ１３が加わるため、ロック金具３０は破線で示す位置に押し上げられ、ロック金具３０の下面とロック金具３１の上面との間に空間が設けられる空間形成状態となる。
【００４２】
このような構成のロック機構２４は、ロック解除機構１３によりロック解除力Ｆ１３が付与されない場合、ロック金具３０及び３１は密着状態となり、外部に露出したリード線４の先端部はロック金具３０及び３１により挟み込まれて把持固定される。すなわち、リード線４は巻回領域１０ｗから規定量飛び出た状態で、ロック機構２４によって把持固定される。
【００４３】
一方、ロック解除機構１３によりロック金具３０の一部にロック解除力Ｆ１３が付与されると、ロック金具３０及び３１は空間形成状態となり、外部に露出したリード線４の先端部は解放される。すなわち、リード線４はリード線収納機構１０１から引き出し可能な解放状態となる。
【００４４】
このように、ロック機構２４は、ロック解除機構１３からのロック解除力Ｆ１３の有無によって、ロック金具３０及び３１間を経由して外部に露出したリード線４の先端部の固定／解放の切替が可能となる。
【００４５】
図１に戻って、リード線収納機構１０１はリードカセット１０とは別部材の残量検出器１６をさらに有しており、残量検出器１６は、リード線４の巻回領域１０ｗにおける残量が基準量以下になるリード線残量不足状態の有無を検出する。
【００４６】
すなわち、残量検出器１６は、巻回領域１０ｗにおいて支持軸２２を中心に巻回されたリード線４の残量を検出し、検出した残量と基準量とを比較して、リード線４の残量が基準量以下となるリード線残量不足状態の有無を検出し、リード線残量不足状態の有無を指示する残量検出信号Ｓ１６を制御部１０５に出力する。
【００４７】
したがって、残量検出器１６から、リード線残量不足状態の発生を指示する残量検出信号Ｓ１６を制御部１０５に出力することにより、使用中のリードカセット１０から新たなリードカセット１０への交換を促すことができる。
【００４８】
なお、残量検出器１６の具体例として例えば反射型レーザー測長器が考えられる。反射型レーザー測長器によって障害物となる、巻回されたリード線４の最外周部までの距離を検出距離として検出することができ、この検出距離に基づきリード線４の残量を検出することができる。
【００４９】
例えば、リード線４の残量“０”の場合、支持軸２２まで障害物が無くなるため、残量検出器１６により、残量検出器１６から支持軸２２までの距離である支持軸到達距離が検出距離として検出される。したがって、基準量が“０”の場合、残量検出器１６によって検出された検出距離が支持軸到達距離に一致すると、リード線残量不足状態の発生を検出することができる。
【００５０】
このように、残量検出器１６は、直近の障害物までの距離測定機能を有することにより、リード線残量不足状態の有無を検出して、リード線残量不足状態の有無を指示する残量検出信号Ｓ１６を出力することができる。また、基準量を“０”とする場合、支持軸２２が視覚認識可能な色認識機能を有する検出器を残量検出器１６としても良い。
【００５１】
図５は残量検出器１６を利用したリードカセット１０の交換状況を模式的に示す説明図である。図５において、リード線引出装置１００からリードカセット１０を除いた構成部分を固定構成部１００ｐとして示している。
【００５２】
同図に示すように、複数のリードカセット１０からなる交換用リードカセット群１０Ｇが予め準備されている。現在使用中のリード線引出装置１００のリードカセット１０（以下、「旧リードカセット１０」と略記）に関し、残量検出器１６によりリード線残量不足状態の発生を指示する残量検出信号Ｓ１６が出力された場合を考える。
【００５３】
この場合、まず、旧リードカセット１０がリード線引出装置１００の固定構成部１００ｐから取り外される。この際、ロック解除機構１３及び残量検出器１６は引き続き固定構成部１００ｐとして残存している。
【００５４】
そして、交換用リードカセット群１０Ｇから一のリードカセット１０が新たなリードカセット１０（以下、「新リードカセット１０」と略記）として選択され、固定構成部１００ｐに新リードカセット１０が取り付けられ、リード線引出装置１００が再構築される。
【００５５】
このように、残量検出器１６によって旧リードカセット１０のリード線残量不足状態を指示する残量検出信号Ｓ１６が出力されると、旧リードカセット１０を速やかに新リードカセット１０に交換することができる。
【００５６】
また、交換用リードカセット群１０Ｇにおける複数のリードカセット１０それぞれのブラケット２０に設けられる２つのガイド穴２１は、複数のリードカセット１０間で位置ズレすることなく精度良く設けられる。したがって、２つのガイド穴２１はリードカセット１０の位置決め用の基準穴となる。
【００５７】
具体的には、２つのガイド穴２１を基準とした正確な把持位置で新リードカセット１０のブラケット２０を把持することにより、リード線４の先端部（ロック機構２４）が精度良く初期位置Ｐ１に位置するように、リードカセット１０を固定構成部１００ｐに取り付けることができる。したがって、新リードカセット１０に対する残量検出器１６およびロック解除機構１３との位置関係も、旧リードカセット１０に対する残量検出器１６およびロック解除機構１３との位置関係と同じになる。
【００５８】
このように、２つのガイド穴２１を基準穴とすることにより、旧リードカセット１０から新リードカセット１０への交換時に、新リードカセット１０を精度良く位置決めして、固定構成部１００ｐに取り付けることができる。
【００５９】
制御部１０５の制御下で実行可能な図示しないカセット把持機構及びカセット取付機構を用いて、ブラケット２０での把持動作、新リードカセット１０の固定構成部１００ｐへの取り付け動作を実行させることにより、上述した旧リードカセット１０から新リードカセット１０への交換処理の自動化を図ることができる。
【００６０】
図１に戻って、張力調整機構１０２は、ダンサーローラ７、２つの昇降式ガイドローラ１１及び破断検出器１７を主要構成要素として含んでいる。ダンサーローラ７は垂直移動方向Ｖ７（±Ｚ方向）に沿って移動可能であり、２つの昇降式ガイドローラ１１は垂直移動方向Ｖ１１（±Ｚ方向）に沿って移動可能である。ダンサーローラ７及び２つの昇降式ガイドローラ１１が張力調整機構１０２に含まれる少なくとも一つのローラとなる。
【００６１】
なお、図１に示すように、実際には、ダンサーローラ７は取付治具７ｊに取り付けられており、２つの昇降式ガイドローラ１１が取付治具１１ｊに取り付けられている。しかしながら、以下では、説明の都合上、ダンサーローラ７及び取付治具７ｊを含めて、単に「ダンサーローラ７」と称し、２つの昇降式ガイドローラ１１及び取付治具１１ｊを含めて、単に「昇降式ガイドローラ１１」と称する場合がある。
【００６２】
ダンサーローラ７は、準備状態（第１の準備状態）では破線で示すように後述するハンド走行空間５０より上方に位置し、実動作状態（第１の実動作状態）では実線で示すように、ハンド走行空間５０の下方に位置する。
【００６３】
昇降式ガイドローラ１１は、準備状態（第１の準備状態）では破線で示すようにハンド走行空間５０より下方に位置し、実動作状態（第１の実動作状態）では実線で示すように、ハンド走行空間５０内に位置する。
【００６４】
したがって、少なくとも一つのローラとして、ダンサーローラ７及び２つの昇降式ガイドローラ１１を有する張力調整機構１０２は、準備状態時にハンド走行空間５０の一部となる部分空間（第１の部分空間）を形成する。
【００６５】
一方、張力調整機構１０２は、実動作状態では、昇降式ガイドローラ１１の上方の外周面とリード線４とが接触し、ダンサーローラ７の下方の外周面とリード線４とが接触することにより、リード線４にかかる張力が一定に保つように張力調整処理を行うことができる。
【００６６】
このように、張力調整機構１０２は、ハンド走行空間５０の一部となる部分空間（第１の部分空間）を形成する準備状態（第１の準備状態）と、上記張力調整処理が実行可能な実動作状態（第１の実動作状態）との間で状態が変化する。
【００６７】
さらに、張力調整機構１０２は、実動作状態で上記張力調整処理を実行している際、リード線４の断線の有無を検出する破断検出器１７を含んでいる。破断検出器１７は実動作状態時におけるダンサーローラ７の降下可能最下位置の近傍に配置される。
【００６８】
破断検出器１７による検出原理は以下の通りである。リード線４が断線するとリード線４による張力がなくなるため、ダンサーローラ７が降下可能最下位置まで下降する。したがって、破断検出器１７はダンサーローラ７が降下可能最下位置まで下降したことを検出することにより、リード線４の断線状態の発生を検出することができる。
【００６９】
その結果、ダンサーローラ７はリード線４の断線の有無を指示する破断検出信号Ｓ１７を制御部１０５に出力することができる。
【００７０】
なお、破断検出器１７の具体例として、位置検出器、リードスイッチ、リミットスイッチ、接触スイッチ等が考えられる。
【００７１】
リード線ガイド機構１０３は、開閉式リードガイド１２、固定リードガイド７０、リードガイド昇降用シリンダ７１およびリード把持シリンダ７２を主要構成要素として含んでいる。
【００７２】
リードガイド昇降用シリンダ７１によって開閉式リードガイド１２は垂直移動方向Ｖ１２（±Ｚ方向）に移動可能である。一方、固定リードガイド７０は図示しない固定手段により固定配置されている。
【００７３】
開閉式リードガイド１２が実線で示す下方に存在する場合、リード把持シリンダ７２によって開閉式リードガイド１２の下面と固定リードガイド７０の上面との間に微小空間を形成することにより、リード線４が移動可能にリード線４を緩やかに把持することができる。したがって、リード線４は上記微小空間を通過することができる。
【００７４】
なお、上記微小空間の入力側において固定リードガイド７０にガイドローラ７３が設けられ、上記微小空間の出力側において開閉式リードガイド１２にガイドローラ７４が設けられる。ガイドローラ７３及び７４は上記微小空間前後のリード線４の移動をスムーズに行うために設けられる。
【００７５】
開閉式リードガイド１２は、準備状態（第２の準備状態）では破線で示すように、リードガイド昇降用シリンダ７１によって上方に移動されることにより、ハンド走行空間５０より上方に位置し、実動作状態（第２の実動作状態）では実線で示すように、ハンド走行空間５０の下方で固定リードガイド７０との間に上記微小空間を形成する。
【００７６】
したがって、開閉式リードガイド１２を有するリード線ガイド機構１０３は、準備状態時ではハンド走行空間５０の一部となる部分空間（第２の部分空間）を形成している。
【００７７】
一方、リード線ガイド機構１０３は、実動作状態では、開閉式リードガイド１２と固定リードガイド７０との間に上記微小空間を形成することにより、上記微小空間にリード線４を通過させることにより、リード線４を下方に導くガイド処理を行うことができる。
【００７８】
このように、リード線ガイド機構１０３は、ハンド走行空間５０の一部となる部分空間（第２の部分空間）を形成する準備状態（第２の準備状態）と、上記ガイド処理が実行可能な実動作状態（第２の実動作状態）との間で状態が変化する。
【００７９】
リード線把持移動機構１０４は、昇降式ハンドユニット１５及び水平方向移載機１４を主要構成要素として含んでいる。
【００８０】
水平方向移載機１４は所定の厚み（Ｚ方向の長さ）、所定の幅（Ｙ方向の長さ）を有し、水平方向（Ｘ方向）に伸びて設けられている。
【００８１】
昇降式ハンドユニット１５は先端に把持部６２ｇを有している。把持部６２ｇは開閉動作ＯＰ１５に伴いリード線４を把持する把持動作が可能である。
【００８２】
昇降式ハンドユニット１５は初期位置Ｐ１，目標位置Ｐ２間を水平移動方向Ｈ１４（±Ｘ方向）に沿って移動可能に水平方向移載機１４に取り付けられている。したがって、昇降式ハンドユニット１５は、把持部６２ｇでリード線４を把持した状態で水平移動方向Ｈ１４に移動する把持部移動動作が可能である。また、昇降式ハンドユニット１５は、垂直移動方向Ｖ１５（±Ｚ方向）に沿った移動も可能である。
【００８３】
図６は図１で示したリード線把持移動機構１０４の詳細構造を示す説明図である。なお、図１で示した水平方向移載機１４および昇降式ハンドユニット１５（把持部６２ｇ）は模式的に示しており、実際の形状は図６に示す構造に類似している。
【００８４】
図６に示すように、水平方向移載機１４は図示しない固定手段によって把持部６２ｇより高い位置（＋Ｚ方向側）に固定配置されている。
【００８５】
水平方向移載機１４にハンドユニット取付治具８５及び上下スライドテーブル６０を介して昇降式ハンドユニット１５が取り付けられる。上下スライドテーブル６０は垂直移動方向Ｖ１５（±Ｚ方向）に移動可能にハンドユニット取付治具８５に取り付けられ、昇降式ハンドユニット１５は上下スライドテーブル６０と一体的に設けられる。
【００８６】
したがって、昇降式ハンドユニット１５は、ハンドユニット取付治具８５が固定れた状態で、上下スライドテーブル６０と共に垂直移動方向Ｖ１５（±Ｚ方向）に移動することができる。
【００８７】
チャッキングハンド６２は昇降式ハンドユニット１５の下方に水平スライドテーブル６１を介して取り付けられ、チャッキングハンド６２の右方（＋Ｙ方向）の先端が把持部６２ｇとなる。水平スライドテーブル６１は水平移動方向Ｈ６２に移動可能に昇降式ハンドユニット１５に取り付けられ、チャッキングハンド６２は水平スライドテーブル６１と一体的に設けられる。
【００８８】
したがって、チャッキングハンド６２は、昇降式ハンドユニット１５が停止した状態で、水平スライドテーブル６１と共に水平移動方向Ｈ６２（±Ｙ方向）に移動することができる。
【００８９】
チャッキングハンド６２の右方（＋Ｙ方向）の端部が把持部６２ｇとなる。把持部６２ｇは上方の把持部材と下方の把持部材とによる開閉動作ＯＰ１５によって、リード線４を把持部６２ｇによって把持する把持動作を行うことができる。
【００９０】
上述したように、リード線把持移動機構１０４は、把持部６２ｇを有し、把持部６２ｇによってリード線４の先端部を把持する把持動作が実行可能である。
【００９１】
さらに、リード線把持移動機構１０４は、把持部６２ｇの配置高さをリード線移動空間であるハンド走行空間５０に合致させることにより、ハンド走行空間５０を通って、把持部６２ｇを初期位置Ｐ１から目標位置Ｐ２に移動させる把持部移動動作がさらに実行可能である。
【００９２】
（リード線引出用初期設定処理）
リード線引出用初期設定処理に関し、例えば、残量検出器１６によるリード線残量不足状態を指示する残量検出信号Ｓ１６の出力、破断検出器１７によるリード線４の断線を指示する破断検出信号Ｓ１７の出力、あるいは、オペレータの要求に応じた実行要求信号Ｓ２０の出力が実行開始条件となる。
【００９３】
図２に示したように、制御部１０５は、残量検出信号Ｓ１６、破断検出信号Ｓ１７及び実行要求信号Ｓ２０を入力しているため、上記実行開始条件を満足した場合、リード線引出用初期設定処理の実行制御を開始することができる。
【００９４】
制御部１０５の制御下で実行されるリード線引出用初期設定処理は、以下のステップ(a)〜(e)を有している。
【００９５】
ステップ(a)は、初期位置Ｐ１において、リード線把持移動機構１０４に把持動作を実行させることにより、リード線収納機構１０１（巻回領域１０ｗ）に収納されたリード線４の先端部を把持させるステップである。
【００９６】
ステップ(b)は、張力調整機構１０２を準備状態（第１の準備状態）に設定し、リード線ガイド機構１０３を準備状態（第２の準備状態）に設定するステップである。
【００９７】
ステップ(c)は、把持部６２ｇが初期位置Ｐ１で把持動作を実行しているリード線把持移動機構１０４に把持部移動動作をさらに実行させることにより、把持部６２ｇを目標位置Ｐ２に移動させるステップである。
【００９８】
このステップ(c)によって、把持部６２ｇにより把持されたリード線４の先端部は、上記第１及び第２の部分空間を含むハンド走行空間５０（リード線移動空間）を通過した後、把持部６２ｇと共に目標位置Ｐ２に導かれ、このステップ(c)の実行後、把持部移動動作は終了される。
【００９９】
ステップ(d)は、ステップ(c)後に実行され、張力調整機構１０２を実動作状態（第１の実動作状態）に設定し、リード線ガイド機構１０３を実動作状態（第２の実動作状態）に設定するステップである。
【０１００】
ステップ(e)は、ステップ(c)後に実行され、把持部６２ｇによる把持動作を終了し、リード線４をリード線把持移動機構１０４から解放するステップである。
【０１０１】
図７〜図２１はリード線引出用初期設定処理の動作内容を示す説明図である。図７〜図１２はリード線引出用初期設定処理を模式的に示し、図１と同様にＸＺ平面で平面視した図面である。図１３〜図２１はリード線引出用初期設定処理を可能な範囲で実構造に沿って示しており、ＹＺ平面で平面視した図面である。なお、図１３〜図１５は図１のＡ−Ａ断面に相当し、図１６〜図１８は図１のＢ−Ｂ断面に相当し、図１９〜図２１は図１のＣ−Ｃ断面に相当する。
【０１０２】
以下、これらの図を参照しつつ、制御部１０５の制御下で行う上記リード線引出用初期設定処理の処理内容を説明する。
【０１０３】
図７に示すように、リード線収納機構１０１、張力調整機構１０２、リード線ガイド機構１０３及びリード線把持移動機構１０４はそれぞれ初期状態に設定されている。すなわち、図７は上記リード線引出用初期設定処理の実行直前の状態を示している。
【０１０４】
図７(a)及び図１４に示すように、初期状態では、固定状態のロック機構２４により、ロック機構２４から先端部が飛び出した状態で、リード線４は固定されている。この状態がリード線固定状態である。すなわち、リード線固定状態では、ロック解除機構１３からのロック解除力Ｆ１３はロック機構２４に付与されていない。
【０１０５】
なお、図７〜図１３において、ロック機構２４により固定されたリード線４から水平方向（Ｘ方向に）に伸びる仮想線を引出基準線ＬＳとして示している。
【０１０６】
図７(a)〜図１１(a)それぞれにおいて、リード線収納機構１０１、張力調整機構１０２及びリード線ガイド機構１０３を示し、図７(b)〜図１１(b)それぞれにおいて、リード線把持移動機構１０４を示している。図７(a)〜図１１(a)と図７(b)〜図１１(b)との間で垂直方向（Ｚ方向）の相関位置関係の指標にすべく、図７(a)〜図１１(a)及び図７(b)〜図１１(b)それぞれに共通の引出基準線ＬＳを示している。
【０１０７】
なお、図１３〜図１５に示すように、リードカセット１０は機械フレーム８１の上面上に設けられ、ロック解除機構１３は機械フレーム８１の上面上にリードカセット１０と隣接して設けられる。また、張力可変式の支持軸２２は、支持軸用台２６に回転可能に取り付けられ、ブラケット２０の開口部内に設けられるベアリング２８を貫通して巻回領域１０ｗに伸びて設けられる。支持軸用台２６はブラケット２０の側面に設けられた取付治具２９を介してブラケット２０に固定される。
【０１０８】
図７(b)に示すように、リード線把持移動機構１０４の昇降式ハンドユニット１５は、初期状態では、把持部６２ｇの配置高さが引出基準線ＬＳに位置するように、把持部６２ｇを垂直移動方向Ｖ１５（＋Ｚ方向）に上昇させている。なお、把持部６２ｇは初期状態では把持解放空間ＳＰ１５が設けられるように開閉動作ＯＰ１５を実行している。
【０１０９】
なお、昇降式ハンドユニット１５は下方にハンドユニット用移動体１９を有し、このハンドユニット用移動体１９が水平方向移載機１４内で水平方向（Ｘ方向）に移動することにより、把持部６２ｇの水平方向移動動作が可能となる。
【０１１０】
図７(a)に示すように、張力調整機構１０２は初期状態では、ダンサーローラ７が引出基準線ＬＳの下方に、昇降式ガイドローラ１１が引出基準線ＬＳの下方近傍に位置するように配置される。
【０１１１】
図７(a)に示すように、リード線ガイド機構１０３は初期状態では、開閉式リードガイド１２はリードガイド昇降用シリンダ７１によって引出基準線ＬＳの下方に位置するように配置される。
【０１１２】
図８は、上記リード線引出用初期設定処理のステップ(a)及び(b)に相当する処理が実行される状態を示している。
【０１１３】
図８及び図１３に示すように、水平移動方向Ｈ６２（＋Ｙ方向）に沿ってチャッキングハンド６２を初期状態から水平移動させて、リード線４の先端部を把持可能な位置に把持部６２ｇを移動させる。すなわち、把持部６２ｇの把持解放空間ＳＰ１５（図６参照）内にリード線４の先端部が存在する状態にチャッキングハンド６２を移動させる。
【０１１４】
この状態で、把持解放空間ＳＰ１５を閉じることにより、把持部６２ｇによってリード線４の先端部を把持する把持動作が実行される。
【０１１５】
把持部６２ｇによる把持動作が完了すると、図８(a)及び図１５に示すように、ロック解除機構１３からロック解除力Ｆ１３がロック機構２４に付与されることにより、ロック機構２４によるリード線４の把持固定が解放され、リード線４はリード線解放状態となる。すなわち、リード線解放状態ではリード線４はリード線収納機構１０１からフリーな状態となる。
【０１１６】
このように、初期位置Ｐ１において、リード線把持移動機構１０４に把持動作を実行させることにより、リード線収納機構１０１収納されたリード線４の先端部を把持させるステップ(a)に相当する処理が実行される。
【０１１７】
図８(a)及び図１８に示すように、張力調整機構１０２は準備状態（第１の準備状態）に設定される。すなわち、昇降用駆動部Ｄ１１によって垂直移動方向Ｖ１１（−Ｚ方向）に沿って昇降式ガイドローラ１１を初期状態から下降させ、昇降用駆動部Ｄ７によって垂直移動方向Ｖ７（＋Ｚ方向）に沿ってダンサーローラ７を初期状態から上昇させる。なお、昇降用駆動部Ｄ１１及び昇降用駆動部Ｄ７として例えばシリンダが考えられる。
【０１１８】
張力調整機構１０２は準備状態では、昇降式ガイドローラ１１は引出基準線ＬＳの下方に位置し、ダンサーローラ７は引出基準線ＬＳの上方に位置することにより、ダンサーローラ７と昇降式ガイドローラ１１との間にハンド走行空間５０の一部となる部分空間（第１の部分空間）が確保される。すなわち、上記部分空間を含むハンド走行空間５０内に、昇降式ガイドローラ１１及びダンサーローラ７が共に存在しなくなる。
【０１１９】
図８(a)及び図２１に示すように、リード線ガイド機構１０３は準備状態（第２の準備状態）に設定される。すなわち、リードガイド昇降用シリンダ７１によって開閉式リードガイド１２を垂直移動方向Ｖ１２（＋Ｚ方向）に沿って初期状態から上昇させる。
【０１２０】
リード線ガイド機構１０３は準備状態では、開閉式リードガイド１２が引出基準線ＬＳから上方に位置することにより、開閉式リードガイド１２と固定リードガイド７０との間にハンド走行空間５０の一部となる部分空間（第２の部分空間）が確保される。すなわち、上記部分空間を含むハンド走行空間５０内に、開閉式リードガイド１２及び固定リードガイド７０が共に存在しなくなる。
【０１２１】
このように、張力調整機構１０２を準備状態（第１の準備状態）に設定し、リード線ガイド機構１０３を準備状態（第２の準備状態）に設定するステップ(b)に相当する処理が実行される。
【０１２２】
図９は、上記リード線引出用初期設定処理のステップ(c)に相当する処理が実行される状態を示している。
【０１２３】
ステップ(c)に相当する処理の実行前段階では、図８に示すように、初期位置Ｐ１において、リード線把持移動機構１０４の把持部６２ｇは引出基準線ＬＳに存在するリード線４の先端部を把持している。すなわち、把持部６２ｇは高さ方向（Ｚ方向）において、ハンド走行空間５０に含まれるように配置されている。
【０１２４】
そして、図９に示すように、上述した把持動作を実行しているリード線把持移動機構１０４（把持部６２ｇ）を、水平移動方向Ｈ１４（＋Ｘ方向）に沿って移動させる把持部移動動作を実行させる。その結果、ハンド走行空間５０を介して初期位置Ｐ１から目標位置Ｐ２に把持部６２ｇを移動させることができる。
【０１２５】
図１６に示すように、張力調整機構１０２はダンサーローラ７と昇降式ガイドローラ１１との間にハンド走行空間５０の一部となる部分空間（第１の部分空間）が形成されている。したがって、上記把持部移動動作の実行時に、把持部６２ｇはダンサーローラ７，昇降式ガイドローラ１１間に形成されるハンド走行空間５０（第１の部分空間）を支障無く通過することができる。
【０１２６】
さらに、図１９に示すように、リード線ガイド機構１０３は開閉式リードガイド１２と固定リードガイド７０との間にハンド走行空間５０の一部となる部分空間（第２の部分空間）を形成している。したがって、上記把持部移動動作の実行時に、把持部６２ｇは開閉式リードガイド１２，固定リードガイド７０間に形成されるハンド走行空間５０（第２の部分空間）を支障無く通過することができる。
【０１２７】
したがって、上記把持部移動動作が実行されることにより、把持部６２ｇに把持されたリード線４の先端部は、上述した第１及び第２の部分空間を含むハンド走行空間５０（リード線移動空間）を通過した後、把持部６２ｇと共に目標位置Ｐ２に導かれ、その後、把持部移動動作は終了される。
【０１２８】
このように、リード線把持移動機構１０４に把持部移動動作を実行させるステップ(c)に相当する処理が実行される。ステップ(c)の実行直後、リード線４は、ハンド走行空間５０内に存在し、かつ、ダンサーローラ７、昇降式ガイドローラ１１、開閉式リードガイド１２、及び固定リードガイド７０それぞれとＸＹ平面で平面視して重複している。
【０１２９】
図１０及び図１１は、上記リード線引出用初期設定処理のステップ(d)に相当する処理が実行される状態を示している。さらに、図１１は、上記リード線引出用初期設定処理のステップ(e)に相当する処理が実行される状態も示している。
【０１３０】
図１０(a)及び図２０に示すように、リード線把持移動機構１０４の把持部６２ｇは垂直移動方向Ｖ１５（−Ｚ方向）に下降され、同時にリード線ガイド機構１０３は実動作状態（第２の実動作状態）に設定される。すなわち、リードガイド昇降用シリンダ７１によって開閉式リードガイド１２を垂直移動方向Ｖ１２（−Ｚ方向）に沿って準備状態（第２の準備状態）から下降させる。
【０１３１】
リード線ガイド機構１０３は実動作状態では、開閉式リードガイド１２が引出基準線ＬＳの下方に位置し、かつ、開閉式リードガイド１２の下面と固定リードガイド７０の上面との間でリード線４を緩やかに把持する微小空間が確保される。すなわち、先端部から引き出し可能にリード線４は上記微小空間で把持されている。
【０１３２】
したがって、リード線ガイド機構１０３は、実動作時に、リード線４を開閉式リードガイド１２及び固定リードガイド７０により上下から挟み込み上記微小空間にリード線４を通過させることにより、リード線４の水平方向（＋Ｘ方向）の移動に伴い下方（−Ｚ方向）に向かう進行方向にリード線４を導くガイド処理を実行することができる。このガイド処理により、リード線４を図示しない接合対象物となる基板の表面に導くことができる。
【０１３３】
続いて、図１１(a)及び図１７に示すように、張力調整機構１０２は実動作状態（第１の実動作状態）に設定される。すなわち、昇降用駆動部Ｄ１１によって垂直移動方向Ｖ１１（＋Ｚ方向）に沿って昇降式ガイドローラ１１を準備状態から上昇させ、昇降用駆動部Ｄ７によって垂直移動方向Ｖ７（−Ｚ方向）に沿ってダンサーローラ７を準備状態から下降させる。なお、昇降用駆動部Ｄ１１及び昇降用駆動部Ｄ７は機械フレーム８２に取り付けられている。
【０１３４】
張力調整機構１０２は実動作状態では、昇降式ガイドローラ１１は引出基準線ＬＳの近傍に位置し、ダンサーローラ７は引出基準線ＬＳの下方に位置する。
【０１３５】
したがって、張力調整機構１０２は実動作時に、２つの昇降式ガイドローラ１１の上部外周面にてリード線４と接触関係を保ち、かつ、ダンサーローラ７の下部外周面にてリード線４と接触関係を保つことにより、リード線４にかかる張力が一定になるように調整にする張力調整処理を実行することができる。
【０１３６】
このように、張力調整機構１０２を実動作状態（第１の実動作状態）に設定し、リード線ガイド機構１０３を実動作状態（第２の実動作状態）に設定するステップ(d)に相当する処理が実行される。
【０１３７】
その後、図１１の破線に示すように、リード線把持移動機構１０４の昇降式ハンドユニット１５における把持部６２ｇに把持解放空間ＳＰ１５を設け、リード線４の先端部を把持する把持動作を終了する。その結果、リード線４はリード線把持移動機構１０４から解放される。
【０１３８】
このように、把持部６２ｇによる把持動作を終了するステップ(e)に相当する処理が実行される。
【０１３９】
その後、チャッキングハンド６２が水平移動方向Ｈ６２（−Ｙ方向）に移動され、図６の実線で示す状態に戻された後、図１１(b)及び図１２(b)の実線に示すように、昇降式ハンドユニット１５は水平移動方向Ｈ１４（−Ｘ方向）に移動され、初期位置Ｐ１に戻される。さらに、初期位置Ｐ１にて垂直移動方向Ｖ１５（＋Ｚ方向）に昇降式ハンドユニット１５が上昇され、把持部６２ｇの配置が引出基準線ＬＳの近傍になる初期状態に設定される。
【０１４０】
上述したリード線引出用初期設定処理を終えると、例えば、図２２で示す超音波接合装置１によって図示しない基板の表面上にリード線４を配置した状態で、リード線４の接合対象領域に超音波振動を印加することにより、接合対象物である基板の表面にリード線４を接合することができる。
【０１４１】
（効果）
本実施の形態のリード線引出装置１００は、制御部１０５の制御下で上述したステップ(a)〜(e)を備えるリード線引出用初期設定処理を自動的に実行することにより、オペレータによる手動操作を不要にして、リード線４の先端部を初期位置Ｐ１から目標位置Ｐ２に導くことができる効果を奏する。
【０１４２】
さらに、リード線引出装置１００は、リード線収納機構１０１におけるロック機構２４によりリード線４の先端部を固定してリード線固定状態にすることにより、リード線４を緩ませることなくリードカセット１０（巻回領域１０ｗ）内に収納することができる。
【０１４３】
加えて、リード線収納機構１０１におけるロック解除機構１３によりリード線４の先端部を解放してリード線解放状態にすることにより、リード線４の先端部を巻回領域１０ｗから外部に引き出すことができる。
【０１４４】
したがって、上記リード線固定状態時に把持動作をリード線把持移動機構１０４に実行させた後、上記リード線解放状態時に把持部移動動作をリード線把持移動機構１０４に実行させることにより、リードカセット１０の巻回領域１０ｗに巻回状態で収納されたリード線４に対し、リード線把持移動機構１０４による把持動作及び把持部移動動作を共に支障無く実行させることができる。
【０１４５】
さらに、リード線収納機構１０１は残量検出器１６を有している。したがって、残量検出器１６によるリード線残量不足状態の発生を検出することにより、リードカセット１０を新しいリードカセット１０への交換の必要性を自動的に認識することができる。
【０１４６】
例えば、図５に示すように、交換用の複数のリードカセット１０を予め準備しておくことが考えられる。そして、残量検出器１６によるリード線残量不足状態を指示する残量検出信号Ｓ１６の出力をトリガとして、使用中のリードカセット１０をリード線引出装置１００から取り外し、準備された複数のリードカセット１０のうち、一のリードカセット１０を新たなリードカセット１０としてリード線引出装置１００に組み込むことができる。
【０１４７】
加えて、張力調整機構１０２は破断検出器１７を有している。したがって、破断検出器１７によってリード線４の断線状態を検出することにより、上記リード線引出用初期設定処理を改めて行う必要性を自動的に認識することができる。
【０１４８】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１４９】
７  ダンサーローラ
１０  リードカセット
１１  昇降式ガイドローラ
１２  開閉式リードガイド
１３  ロック解除機構
１４  水平方向移載機
１５  昇降式ハンドユニット
１６  残量検出器
１７  破断検出器
２４  ロック機構
５０  ハンド走行空間
６２  チャッキングハンド
６２ｇ  把持部
７０  固定リードガイド
１００  リード線引出装置
１０１  リード線収納機構
１０２  張力調整機構
１０３  リード線ガイド機構
１０４  リード線把持移動機構
１０５  制御部
【要約】
本発明は、人手による手動操作を不要にして、リード線引き出し用初期設定処理が行えるリード線引出装置を提供することを目的とする。本発明において、リード線収納機構（１０１）は先端部から取り出し可能にリード線（４）の大部分を収納している。ダンサーローラ（７）及び２つの昇降式ガイドローラ（１１）を有する張力調整機構（１０２）は、準備状態時にハンド走行空間（５０）の一部となる部分空間を形成している。開閉式リードガイド（１２）を有するリード線ガイド機構（１０３）は、準備状態時にハンド走行空間（５０）の一部となる部分空間を形成している。リード線把持移動機構（１０４）は、把持部（６２ｇ）によってリード線（４）の先端部を把持する把持動作と、ハンド走行空間（５０）を通って把持部（６２ｇ）を移動させる把持部移動動作とが実行可能である。【図１】
0006827688.tif 000002
【図２】
0006827688.tif 000003
【図３】
0006827688.tif 000004
【図４】
0006827688.tif 000005
【図５】
0006827688.tif 000006
【図６】
0006827688.tif 000007
【図７】
0006827688.tif 000008
【図８】
0006827688.tif 000009
【図９】
0006827688.tif 000010
【図１０】
0006827688.tif 000011
【図１１】
0006827688.tif 000012
【図１２】
0006827688.tif 000013
【図１３】
0006827688.tif 000014
【図１４】
0006827688.tif 000015
【図１５】
0006827688.tif 000016
【図１６】
0006827688.tif 000017
【図１７】
0006827688.tif 000018
【図１８】
0006827688.tif 000019
【図１９】
0006827688.tif 000020
【図２０】
0006827688.tif 000021
【図２１】
0006827688.tif 000022
【図２２】
0006827688.tif 000023